(57)【特許請求の範囲】
【請求項１】
センターと１以上の外部拠点との間がそれぞれＷＡＮ回線で接続され、前記センターが、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを備えるシステムにおけるＷＡＮトラフィック測定方式において、前記第１又は第２のＬＡＮに接続して、接続したＬＡＮ上の全トラフィックデータを第１の全統計ファイルに記録するトラフィック収集部と、外部より与えられたトラフィックデータを記録する第２の全統計ファイルと、前記第１の全統計ファイルのデータから与えられた抽出条件に従ってトラフィックデータを抽出して第１の個別統計ファイルを作成し、前記第２の全統計ファイルのデータから前記与えられた抽出条件に従ってトラフィックデータを抽出して第２の個別統計ファイルを作成するスクリーニング部と、前記第１の個別統計ファイルと前記第２の個別統計ファイルとをマージするマージ部とを備えたトラフィック測定装置を前記第１と第２のＬＡＮにそれぞれ接続して、前記ＷＡＮ回線のトラフィックデータを測定及び分析することを特徴とするＷＡＮトラフィック測定方式。
【請求項２】
センターと１以上の外部拠点との間がそれぞれＷＡＮ回線で接続され、前記センターは、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを備えるシステムにおけるＷＡＮトラフィック測定方式において、前記第１のＬＡＮに接続し前記ＬＡＮ上の全トラフィックデータを第１の全統計ファイルに記録するトラフィック収集部を有する第１のトラフィック測定装置と、前記第２のＬＡＮに接続し前記ＬＡＮ上の全トラフィックデータを第２の全統計ファイルに記録するトラフィック収集部を有する第２のトラフィック測定装置と、前記第１の全統計ファイルのデータから与えられた抽出条件に従ってトラフィックデータを抽出して第１の個別統計ファイルとを作成し、前記第２の全統計ファイルのデータから前記与えられた抽出条件に従ってトラフィックデータを抽出して第２の個別統計ファイルとを作成するスクリーニング部と、前記第１の個別統計ファイルと前記第２の個別統計ファイルとをマージするマージ部とを有するトラフィック分析装置とを備えて、前記ＷＡＮ回線のトラフィックデータを測定及び分析することを特徴とするＷＡＮトラフィック測定方式。
【請求項３】
前記センター内に設けられたＬＡＮを３つ以上有し、前記ＬＡＮの数に応じて全統計ファイルを追加して備え、前記スクリーニング部は前記追加した全統計ファイルを前記与えられた抽出条件で抽出して前記個別統計ファイルを追加して作成し、前記マージ部は前記第１の個別統計ファイルと前記第２の個別統計ファイルと前記追加した個別統計ファイルとをマージする請求項１又は２のＷＡＮトラフィック測定方式。
【請求項４】
接続するＬＡＮ上の全トラフィックデータを第１の全統計ファイルに記録するトラフィック収集部と、外部より与えられたトラフィックデータを記録する第２の全統計ファイルと、前記第１の全統計ファイルのトラフィックデータの中から測定対象のＷＡＮ回線の接続先の拠点のＩＰアドレスを発信元或いは送信先のアドレスとして含むトラフィックデータを抽出して第１の個別統計ファイルを作成し、前記第２の全統計ファイルのトラフィックデータの中から測定対象のＷＡＮ回線の接続先の拠点のＩＰアドレスを発信元或いは送信先のアドレスとして含むトラフィックデータを抽出して第２の個別統計ファイルを作成するスクリーニング部と、前記第１の個別統計ファイルと前記第２の個別統計ファイルとをマージするマージ部とを備えたＷＡＮトラフィック測定装置。
【請求項５】
前記第２の全統計ファイルと前記第２の個別統計ファイルとを複数設け、前記マージ部は前記第１の個別統計ファイルと前記複数の第２の個別統計ファイルとをマージすることを特徴とする請求項４のＷＡＮトラフィック測定装置。
【請求項６】
センターと１以上の外部拠点との間がそれぞれＷＡＮ回線で接続され、前記センターが、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを備えるシステムにおけるＷＡＮトラフィック測定方法において、
前記第１と第２のＬＡＮにそれぞれ接続するトラフィック測定装置が、接続したＬＡＮ上の全トラフィックデータを第１の全統計ファイルに記録する手順と、前記第１の全統計ファイルのデータから与えられた抽出条件に従ってトラフィックデータを抽出して第１の個別統計ファイルを作成する手順と、外部より与えられたトラフィックデータを記録する第２の全統計ファイルのデータから前記与えられた抽出条件に従ってトラフィックデータを抽出して第２の個別統計ファイルを作成する手順と、前記第１の個別統計ファイルと前記第２の個別統計ファイルとをマージする手順とをそれぞれ有することを特徴とするＷＡＮトラフィック測定方法。
【発明の詳細な説明】
【０００１】
【発明の属する技術分野】
本発明は、ＷＡＮ（Ｗｉｄｅ  Ａｒｅａ  Ｎｅｔｗｏｒｋ）のトラフィック測定の方式、装置、方法、及び記録媒体に関し、特にＬＡＮ（Ｌｏｃａｌ  Ａｒｅａ  Ｎｅｔｗｏｒｋ）とＷＡＮを介して通信するシステムにおいて、ＬＡＮ側のトラフィックデータを収集することにより、ＷＡＮのトラフィックを求める手法に関する。
【０００２】
【従来の技術】
従来、専用線やフレームリレーのＤＬＣＩ（Ｄａｔａ  Ｌｉｎｋ  Ｃｏｎｎｅｃｔｉｏｎ  Ｉｄｅｎｔｉｆｉｅｒ）番号毎のＷＡＮ回線の使用率や使用量の時系列推移グラフを表示する方法として、以下に示す２通りの方法がある。それぞれ例を挙げて説明する。
【０００３】
第１の従来の方法を図９を用いて説明する。センター３１にはサーバ３３、サーバ３４、及びルータ３２があり、それぞれＬＡＮセグメント＃５（ＬＡＮ＃５）に接続している。ルータ３２はＬＡＮセグメント＃５とＷＡＮ＃１、ＷＡＮ＃２、ＷＡＮ＃３、及びＷＡＮ＃４の４本の専用線のポートを有し、４本の専用線ＷＡＮ＃１〜４全てのトラフィックはＬＡＮセグメント＃５上のサーバ３３及びサーバ３４に集中している。
【０００４】
ルータ３２は各専用線ＷＡＮ＃１〜４を介してそれぞれルータ２５、ルータ２６、ルータ２７、ルータ２８に対向し、ルータ２５、ルータ２６、ルータ２７、ルータ２８はそれぞれ支店２１、支店２２、支店２３、支店２４に設置されている。各支店は図９に記載してあるＩＰアドレス（例えば支店２１は１７２．１６．１．０と１７２．１６．２．０）を持つ複数のサブネットワークを含んでいる。
【０００５】
第１の従来の方法では、ＷＡＮモニタ８１、ＷＡＮモニタ８２、ＷＡＮモニタ８３、ＷＡＮモニタ８４をそれぞれのＷＡＮ回線にシリアルに挿入するように接続し、ＷＡＮ回線上のトラフィックを直接収集する方法である。各ＷＡＮモニタ８１〜８４はＷＡＮ回線のトラフィックを収集する測定装置であり、このような接続方法は一般的なＷＡＮモニタの使用方法である。ＷＡＮモニタ８１〜８４で収集したデータからは、例えば図３に示すような横軸に時間、縦軸にトラフィック使用率を表した使用率推移グラフが得られる。図３ではＷＡＮ＃１とＷＡＮ＃２のグラフのみを示してあるがＷＡＮ＃３，４も同様なグラフとなる。
【０００６】
第２の従来の方法を図１０を用いて説明する。図１０は図９と同じ環境を前提としている。図９と異なる点はセンター９５内に設置されるルータ９６がＳＮＭＰ（Ｓｉｍｐｌｅ  Ｎｅｔｗｏｒｋ  Ｍａｎａｇｅｍｅｎｔ  Ｐｒｏｔｏｃｏｌ）に対応していることである。ＳＮＭＰ対応のルータ９６はルータ９６内のトラフィックデータを記録するＭＩＢ（Ｍａｎａｇｒｍｅｎｔ  Ｉｎｆｏｒｍａｔｉｏｎ  Ｂａｓｅ）情報が記録されているので、図１０のように各ＷＡＮポート毎のトラフィックデータがＭＩＢ情報９１、ＭＩＢ情報９２、ＭＩＢ情報９３、ＭＩＢ情報９４に蓄積されるので、これらをＳＮＭＰマネージャ９７が定期的に収集してＷＡＮ回線毎のトラフィックデータを分析することになる。ＳＮＭＰマネージャ９７の設置場所は特に制約されないが、図１０ではＬＡＮセグメント＃５に接続した情報処理装置に収容している。
【０００７】
【発明が解決しようとする課題】
第１の従来の方法には次のような問題点がある。第１の問題点は、複数のＷＡＮ回線のトラフィックを同時に収集するためにはその数に応じて複数のＷＡＮモニタが必要になることである。特に、調査対象となるＷＡＮ回線が多い場合は、調査のために多くのＷＡＮモニタを備える必要があり経済面での負担が大きくなるという問題がある。
【０００８】
第２の問題点は、調査対象回線がシリアル回線であるため、ＷＡＮモニタをＷＡＮ回線に接続するためには一旦回線を切り離してＷＡＮモニタを挿入する必要があり、その作業中、通信が停止するということである。
【０００９】
第３の問題点は、ＷＡＮシリアルインターフェースには様々な仕様があり、該当するインターフェースを有したＷＡＮモニタでないとＷＡＮ回線に接続することができないという点である。
【００１０】
第２の従来の方法には次のような問題がある。第１の問題点は、ＷＡＮ回線を収容するルータ９６はＳＮＭＰに対応していることが前提となるが、小規模なアクセスルータでは未対応の場合が多く、この場合は第２の従来の方法が採用できないということである。
【００１１】
第２の問題点は、ＷＡＮ回線のトラフィックデータに関するＭＩＢ情報は統計的な累計値を示したものであるため、例えば３０分間隔で収集したＭＩＢ情報からは１分間隔や５分間隔のトラフィック推移の詳細分析は不可能であるということである。１分間隔での分析が必要なら最初から１分間隔で測定対象のＭＩＢ情報を収集しなければならないが、そのためには１分間隔でＳＮＭＰマネージャとルータ９６間のＳＮＭＰパケットがネットワーク上を通過することになり、ネットワーク負荷を増大させる原因となる。また、ＳＮＭＰマネージャ自身の負荷も増大し、現実的には数分間隔という短時間での収集は困難な場合がある。
【００１２】
第３の問題点は、収集したＭＩＢ情報はパケット数やパケットサイズなどデータリンク層のデータであり、使用率推移グラフをＳＮＭＰマネージャで表示させることができてもピーク時に、どのノード（ＩＰアドレス）と、どのノード（ＩＰアドレス）間の通信で、どのようなアプリケーションで通信がなされたのかといったネットワーク層以上の分析ができないということである。従って、特定のＩＰアドレスの通信に注目したトラフィック分析は不可能である。
【００１３】
第４の問題点は、ルータなどＳＮＭＰに対応したネットワーク機器はトラフィック収集を本来の目的とした測定機ではないため、収集したＭＩＢ情報は高負荷時にはパケットの収集漏れなどが起こりうるので厳密な分析をすることが困難ということである。
【００１４】
本発明の目的は、トラフィック測定装置をセンター側のＬＡＮセグメントに接続し、そのＬＡＮセグメントのトラフィックデータを収集してスクリーニングすることにより、そのＬＡＮセグメントを通過する複数のＷＡＮ回線の使用率推移グラフや詳細分析を可能とし、経済的で効率的なＷＡＮトラフィック測定の方式、装置、方法、及び記録媒体を提供することにある。
【００１７】
【課題を解決するための手段】
本発明の第１のＷＡＮトラフィック測定方式は、センターと１以上の外部拠点との間がそれぞれＷＡＮ回線で接続され、前記センターが、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを有し、前記第１又は第２のＬＡＮに接続して、接続したＬＡＮ上の全トラフィックデータを第１の全統計ファイルに記録するトラフィック収集部と、外部より与えられたトラフィックデータを記録する第２の全統計ファイルと、前記第１の全統計ファイルのデータから与えられた抽出条件に従ってトラフィックデータを抽出して第１の個別統計ファイルを作成し、前記第２の全統計ファイルのデータから前記与えられた抽出条件に従ってトラフィックデータを抽出して第２の個別統計ファイルを作成するスクリーニング部と、前記第１の個別統計ファイルと前記第２の個別統計ファイルとをマージするマージ部とを備えたトラフィック測定装置を前記第１と第２のＬＡＮにそれぞれ接続して有する。
【００１８】
本発明の第２のＷＡＮトラフィック測定方式は、センターと１以上の外部拠点との間がそれぞれＷＡＮ回線で接続され、前記センターは、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを有し、前記第１のＬＡＮに接続し前記ＬＡＮ上の全トラフィックデータを第１の全統計ファイルに記録するトラフィック収集部を有する第１のトラフィック測定装置と、前記第２のＬＡＮに接続し前記ＬＡＮ上の全トラフィックデータを第２の全統計ファイルに記録するトラフィック収集部を有する第２のトラフィック測定装置と、前記第１の全統計ファイルのデータから与えられた抽出条件に従ってトラフィックデータを抽出して第１の個別統計ファイルとを作成し、前記第２の全統計ファイルのデータから前記与えられた抽出条件に従ってトラフィックデータを抽出して第２の個別統計ファイルとを作成するスクリーニング部と、前記第１の個別統計ファイルと前記第２の個別統計ファイルとをマージするマージ部とを有するトラフィック分析装置とを有する。
【００１９】
本発明の第３のＷＡＮトラフィック測定方式は、前記第１又は２のＷＡＮトラフィック測定方式において、前記センター内に設けられたＬＡＮを３つ以上有し、前記ＬＡＮの数に応じて全統計ファイルを追加して備え、前記スクリーニング部は前記追加した全統計ファイルを前記与えられた抽出条件で抽出して前記個別統計ファイルを追加して作成し、前記マージ部は前記第１の個別統計ファイルと前記第２の個別統計ファイルと前記追加した個別統計ファイルとをマージする。
【００２１】
本発明の第１のＷＡＮトラフィック測定装置は、接続するＬＡＮ上の全トラフィックデータを第１の全統計ファイルに記録するトラフィック収集部と、外部より与えられたトラフィックデータを記録する第２の全統計ファイルと、前記第１の全統計ファイルのトラフィックデータの中から測定対象のＷＡＮ回線の接続先の拠点のＩＰアドレスを発信元或いは送信先のアドレスとして含むトラフィックデータを抽出して第１の個別統計ファイルを作成し、前記第２の全統計ファイルのトラフィックデータの中から測定対象のＷＡＮ回線の接続先の拠点のＩＰアドレスを発信元或いは送信先のアドレスとして含むトラフィックデータを抽出して第２の個別統計ファイルを作成するスクリーニング部と、前記第１の個別統計ファイルと前記第２の個別統計ファイルとをマージするマージ部とを有する。
【００２２】
本発明の第２のＷＡＮトラフィック測定装置は、前記第１のＷＡＮトラフィック測定装置において、前記第２の全統計ファイルと前記第２の個別統計ファイルとを複数設け、前記マージ部は前記第１の個別統計ファイルと前記複数の第２の個別統計ファイルとをマージすることを特徴とする。
【００２３】
本発明の第１のＷＡＮトラフィック測定方法は、センターと１以上の外部拠点との間がそれぞれＷＡＮ回線で接続され、前記センターが、第１のＬＡＮと接続し前記ＷＡＮ回線を介して前記外部拠点からの要求を処理する第１のサーバ装置と、第２のＬＡＮと接続し前記ＷＡＮ回線を介して前記外部拠点からの要求を処理する第２のサーバ装置とを備えるシステムにおけるＷＡＮトラフィック測定方法において、
前記第１と第２のＬＡＮにそれぞれ接続するトラフィック測定装置が、接続したＬＡＮ上の全トラフィックデータを第１の全統計ファイルに記録する手順と、前記第１の全統計ファイルのデータから与えられた抽出条件に従ってトラフィックデータを抽出して第１の個別統計ファイルを作成する手順と、外部より与えられたトラフィックデータを記録する第２の全統計ファイルのデータから前記与えられた抽出条件に従ってトラフィックデータを抽出して第２の個別統計ファイルを作成する手順と、前記第１の個別統計ファイルと前記第２の個別統計ファイルとをマージする手順とを有する。
【００２６】
【発明の実施の形態】
次に、本発明の第１の実施の形態について図面を参照して説明する。
図２は第１の実施形態の全体の接続関係を示したブロック図である。図２は、分かりやすくするために従来の方法の説明で示した図９や図１０と同じ環境としている。図９との違いは、ＷＡＮ回線（ＷＡＮ＃１、ＷＡＮ＃２、ＷＡＮ＃３、ＷＡＮ＃４）毎に専用のＷＡＮモニタ８１〜８４を接続する必要がないことであり、図１０との違いは、ルータ３２がＳＮＭＰに対応している必要がないことである。
【００２７】
センター３１内は、サーバ３３と、サーバ３４と、ルータ３２と、トラフィック測定装置１０がＬＡＮセグメント＃５に接続している。ルータ３２は支店２１〜２４の各ルータ２５〜２８と各ＷＡＮ回線（ＷＡＮ＃１〜４）で接続しており、支店２１〜２４内の各サブネットワーク配下の装置はサーバ３３、サーバ３４との間の通信により運用される形態となっている。
【００２８】
図１はトラフィック測定装置１０のブロック図である。トラフィック測定装置１０は、接続しているＬＡＮ＃５のトラフィックデータを収集して統計ファイル１２内に全統計ファイル１５として記録するトラフィック収集部１１を含み、測定中は常にＬＡＮ＃５のトラフィックを測定している。この他に、ＬＡＮ＃５には各ＷＡＮ上のトラフィックデータも流れるためＷＡＮ＃１〜４のトラフィックデータも全統計ファイル１５内に記録される。
【００２９】
この他に、全統計ファイル１５の中から決められた条件に適合するデータを抽出（スクリーニングともいう）するスクリーニング部１３と、抽出したデータを分析する分析部１４とを含む。統計ファイル１２は、ＬＡＮ＃５の全体のトラフィックデータからなる全統計ファイル１５の他に、スクリーニング部１３が特定の条件毎に全統計ファイル１５からスクリーニングして作成するいくつかの個別統計ファイル１６を含む。
【００３０】
スクリーニング部１３と分析部１４の処理はオンラインで実行する必要はないので、スクリーニング部１３と分析部１４はトラフィック測定装置１０に実装しなくてもよく、オフラインの別の装置に実装しておき、そこへ統計ファイル１５を移動してから実行することも可能である。
【００３１】
図４は統計ファイル１２内の各ファイルのフォーマットを示している。各行はそれぞれ収集した１パケットに対応し、パケット毎に発信元と送信先のＭＡＣアドレス、発信元と送信先のＩＰアドレス、パケット種別（プロトコル、アプリケーション種別）、データサイズなどが記録されている。
【００３２】
次に、本発明の第１の実施の形態の動作について説明する。トラフィック測定装置１０で測定を開始すると、トラフィック収集部１１はＬＡＮ＃５上の全トラフィックデータを収集し、図５に示すフォーマットにして全統計ファイル１５に記録していく。
【００３３】
上記測定が終了した後の手順について、図５のフローチャートを用いて説明する。ＬＡＮ＃５の全体のデータを分析する場合は、分析部１４が全統計ファイル１５のデータに対して利用者が指示した内容に応じて分析を行う（Ｓ４１）。次に分析部１４がそれをグラフや表等の所望の形態で表示する（Ｓ４２）。表示形態の一例として図３に使用率推移グラフを示している。図３（１）がＬＡＮ＃５全体のグラフである。グラフではＬＡＮ＃５の使用率を縦軸に、時間を横軸で表し、使用率の時間推移が見やすくなっている。
【００３４】
ＷＡＮ回線個別の分析を行う場合は、全統計ファイル１５のデータに対して、スクリーニング部１３が利用者から指示された条件に従ってスクリーニングを行い、個別統計ファイル１６を作成してこれに結果を格納する。ＷＡＮ＃１回線の分析を行う場合、スクリーニング部１３は支店２１に含まれるサブネットワークのＩＰアドレス”１７２．１６．１．０”と”１７２．１６．２．０”を基に全統計ファイル１５のデータをスクリーニングしてＷＡＮ＃１の個別統計ファイル１６を作成し、結果をこれに格納する（Ｓ４３）。
【００３５】
スクリーニング部１３の抽出条件について、センター３１と支店２１間の専用線ＷＡＮ＃１のトラフィックデータの場合を例にさらに詳しく説明する。抽出は下記の条件１又は条件２が成立した場合に行われる。
【００３６】
条件１：支店２１からセンター３１方向トラフィック（上り）
発信元アドレス＝１７２．１６．１．＊／２４、又は１７２．１６．２．＊／２４。ただし、”／２４”はサブネットマスクのサイズをビット数で表示したものであり、”＊”は数値を限定しないことを示している。（以下も同様である）
条件２：センター３１から支店２１方向トラフィック（下り）
相手先アドレス＝１７２．１６．１．＊／２４、又は１７２．１６．２．＊／２４。
【００３７】
ＷＡＮ＃２〜＃４についても、対象となる各支店内のサブネットワークのＩＰアドレスが異なるだけで、それ以外は同じである。ただし、支店２４ではサブネットワークが３つあるので３つのＩＰアドレスを調べる必要がある。
【００３８】
次に分析部１４はＷＡＮ＃１の個別統計ファイル１６に対して利用者から指示された分析を行い（Ｓ４４）、結果をグラフや表等の所望の形態で表示する（Ｓ４５）。一例としてＷＡＮ＃１の使用率推移グラフを図３（２）に示す。このグラフはＬＡＮ＃５全体の使用率推移グラフ（図３（１））と同様にＷＡＮ＃１に関するトラフィックの時間推移を示したものである。
【００３９】
以上はＷＡＮ＃１回線についてのトラフィック測定について説明してきたが、複数のＷＡＮ回線或いは特定のサブネットワーク、特定のノードに限定したトラフィックの回線使用率や回線使用量の時系列推移のグラフを表示させる場合は、それぞれの条件でスクリーニングを行い、結果をそれぞれ作成した個別統計ファイル１６に格納する。これを基に分析部１４にてトラフィックの回線使用率や回線使用量の時系列推移のグラフを表示させればよい。このようなグラフが得られれば、ＷＡＮ回線毎に何時ごろピークが発生しているかなど回線の利用動向を正しく把握することができる。
【００４０】
このように、ＬＡＮ＃５や各ＷＡＮ回線に測定のための負荷を課すことなく正確なデータが収集でき、またＷＡＮモニタを接続するなど測定のために手間をかけたり運転を一時止めたりするという必要がなくＷＡＮ回線毎のデータを測定し、分析することができる。また、全統計データ１５に対して抽出条件を変えるだけで全てのＷＡＮ回線のトラフィックを容易に求めることができる。
【００４１】
第１の実施の形態の応用した形態として以下の方法もある。スクリーニング以降の分析の手順はオフラインで行えるため、トラフィック測定装置１０から全統計ファイル１５を別の装置に移して、分析や表示を行う方法である。この場合の別の装置は、図１のトラフィック測定装置１０からトラフィック収集部１１を除いた構成を含んでおり、利用者はトラフィック測定装置１０から全統計ファイル１５を別の装置の全統計ファイル１５に移し、以降はすでに記載したようにスクリーニングと分析を実行すればよい。従って、次の計測を実行しながら分析を並行して実行することもできる。
【００４２】
以上のように、トラフィック測定装置１０をその場で使用して分析したり、トラフィック測定装置１０をその場から持ち帰って別の場所で分析したり、全統計ファイル１５のみを持ち帰って別の装置で分析したりできるので、測定の方法と装置の使い方に選択の幅があり、使いやすいという特長がある。
【００４３】
次に、本発明の第２の実施の形態について説明する。図６は本発明の第２の実施の形態のシステムの構成を示すブロック図である。図６ではセンター６１内に設置されるルータ６２が２本のＬＡＮセグメント＃５、＃６を有し、ＬＡＮ＃５にはサーバ３３が設置され、ＬＡＮ＃６にはサーバ３４が設置されている点で図２と異なるが、支店２１〜支店２４とそれぞれのサーバ３３、３４は図２と同様に相互に通信している。
【００４４】
この構成では、各支店２１〜２４とサーバ３３、３４との間の通信がＬＡＮ＃５とＬＡＮ＃６の双方に流れるため、ＷＡＮ回線のトラフィックを測定するためには、ＬＡＮ＃５とＬＡＮ＃６の双方のトラフィックデータを参照する必要がある。このために、各ＬＡＮセグメントにそれぞれトラフィック測定装置５０、トラフィック測定装置５１を設置して、それぞれＬＡＮ＃５とＬＡＮ＃６上の全トラフィックデータを収集する。
【００４５】
図７はトラフィック測定装置５０の構成を示すブロック図である。トラフィック測定装置５１も構成は同じなのでトラフィック測定装置５１の説明は省略する。図７ではトラフィック測定装置１０と同じ機能の構成要素は図１と同じ番号を付与しているので、同じ番号の構成要素の説明は省略する。
【００４６】
自統計ファイル５２は、統計ファイル１２に相当し、トラフィック収集部１１により全統計ファイル１５へＬＡＮ＃５上の全トラフィックデータを収集して記録する。他統計ファイル５３は、ＬＡＮ＃６上のトラフィックデータを記録したトラフィック測定装置５１上の自統計ファイル５２を複写したものである。複写時点では全統計ファイル５５のみがあればよい。
【００４７】
スクリーニング部１３は、全統計ファイル１５と全統計ファイル５５の双方に対して同じ抽出条件でスクリーニングを行い、それぞれ個別統計ファイル１６と個別統計ファイル５６を作成してこれらに結果を格納する。
【００４８】
マージ部５４は、利用者の指示に従って、全統計ファイル１５と全統計ファイル５５とからそれぞれ同じ抽出条件で作成された個別統計ファイル１６と個別統計ファイル５６とを合成（マージともいう）する。分析部１４はマージした結果に対して第１の実施の形態と同様に分析し表示する。
【００４９】
次に第２の実施の形態の動作について図８のフローチャートを用いて説明する。ここではＷＡＮ＃１〜＃４の個別のトラフィックデータを分析する場合について説明する。トラフィック測定装置５０と５１とが測定を開始すると、トラフィック測定装置５０のトラフィック収集部１１はＬＡＮ＃５上の全トラフィックデータを収集し、図４に示すフォーマットにして全統計ファイル１５に記録していく（Ｓ７１）。トラフィック測定装置５１のトラフィック収集部１１はＬＡＮ＃６上の全トラフィックデータを収集し、図４に示すフォーマットにして全統計ファイル１５に記録していく（Ｓ７７）。
【００５０】
測定終了後の分析では各トラフィック測定装置５０、５１で記録したそれぞれの全統計ファイル１５を１つの装置に集める必要があり、トラフィック測定装置５１の全統計ファイル１５をトラフィック測定装置５０の全統計ファイル５５へ複写する（Ｓ７８）。もちろん、トラフィック測定装置５０の全統計ファイル１５をトラフィック測定装置５１の全統計ファイル５５へ複写してもよいし、トラフィック測定装置５０、５１の全統計ファイル１５を別の装置の全統計ファイル１５と全統計ファイル５５へ複写して以降の処理を実行してもかまわない。
【００５１】
以降の手順では、ＷＡＮ＃１の分析をする場合について説明する。スクリーニング部１３は支店２１に含まれるサブネットワークのＩＰアドレス”１７２．１６．１．０”と”１７２．１６．２．０”を基に全統計ファイル１５のデータをスクリーニングしてＷＡＮ＃１の個別統計ファイル１６を作成し、結果（データＡ）をこれに格納する（Ｓ７２）。スクリーニング部１３の詳細な抽出条件は第１の実施の形態と同じである。
【００５２】
さらに、スクリーニング部１３は、同じく支店２１に含まれるサブネットワークのＩＰアドレス”１７２．１６．１．０”と”１７２．１６．２．０”を基に全統計ファイル５５のデータをスクリーニングしてＷＡＮ＃１の個別統計ファイル５６を作成し、結果（データＢ）をこれに格納する（Ｓ７３）。
【００５３】
次に、マージ部５４は、個別統計ファイル１６と５６からそれぞれデータＡとデータＢを読み出してこれらをマージする（Ｓ７４）。分析部１４は、マージした結果に対して分析を行い（Ｓ７５）、分析結果を利用者の指示するグラフや表で表示する（Ｓ７６）。グラフの一例として、第１の実施の形態と同じように図３（２）の使用率推移グラフのようなグラフが表示され、各ＷＡＮ回線毎に分析することにより、それぞれのＷＡＮ回線で何時ごろピークが発生しているかなど回線の利用動向を容易に把握することができる。
【００５４】
このように、ＷＡＮ回線の通信先が複数のＬＡＮセグメントに分散している場合でも、第１の実施の形態と同様に、使用中のＬＡＮセグメント（ＬＡＮ＃５とＬＡＮ＃６）や各ＷＡＮ回線に測定のための負荷を課すことなく厳密なデータが収集でき、またＷＡＮモニタを接続するなど測定のために手間をかけたり運用を一時止めたりすることなくＷＡＮ回線毎のデータを測定し分析することができる。また、全統計データ１５に対して抽出条件を変えるだけで全てのＷＡＮ回線のトラフィックを容易に求めることができる。
【００５５】
第２の実施の形態の応用した形態として以下の方法がある。スクリーニング以降の分析の手順はオフラインで行えるため、トラフィック測定装置５０やトラフィック測定装置５１で収集した全統計ファイル１５を別の装置に移して、その装置で分析や表示を行う方法である。
【００５６】
この場合の別の装置の構成は、図７に示すトラフィック測定装置５０からトラフィック収集部１１を除いた残りの構成を持てばよい。利用者は測定後にトラフィック測定装置５０と５１で収集した全統計ファイル１５をそれぞれ別の装置の自統計ファイル５２と他統計ファイル５３へ複写して移し、以降すでに記載したようにスクリーニング、マージ、分析を実行することにより各ＷＡＮ回線のトラフィックをグラフや表にして求めることができる。従って、次の計測を実行しながら分析を並行して実行することもできる。
【００５７】
以上のように、トラフィック測定装置５０又は５１をその場で使用して分析したり、トラフィック測定装置５０と５１をその場から持ち帰って別の場所で分析したり、全統計ファイル１５のみを持ち帰って別の装置で分析したりできるので、測定の方法と装置の使い方に選択の幅があり、使いやすいという特長がある。
【００５８】
また、第１、第２の実施の形態を示した図２や図６ではＷＡＮ回線数を４の場合で説明したが、ＷＡＮ回線数を制限するものではなく、もっと大規模な構成でも本発明が適用できることは明らかである。また、測定するＷＡＮ回線数を増やしても、対応する個別統計ファイル１６又は５６を増やすだけでいいので、測定するＷＡＮ回線数が多いほどその効果も大きくなる。
【００５９】
次に記録媒体１９について説明する。図１と図７において、記録媒体１９はトラフィック測定装置１０、５０、又は５１に接続して、記録してあるプログラムをトラフィック測定装置１０、５０、又は５１で実行できるようになっている。一般的には記録媒体１９が記録するプログラムはトラフィック測定装置１０、５０、又は５１内の記憶装置にロードされてそこに実装され、一度実装されると、次回からは記録媒体１９が無くても実装されたプログラムを実行することができる。
【００６０】
記録媒体１９に記録されるプログラムには、トラフィック測定装置１０ではスクリーニング部１３と分析部１４の手順を実行させるプログラムが含まれ、トラフィック測定装置５０又は５１ではスクリーニング部１３とマージ部５４と分析部１４の手順を実行させるプログラムが含まれる。また、図示しないが、第１又は第２の実施の形態を応用した形態のそれぞれの別の装置においても、記録媒体１９が接続され上記のように記録媒体１９からプログラムがロードされるようになっている。
【００６１】
【発明の効果】
以上のように、本発明では、ＬＡＮセグメントの全トラフィックを収集した全統計ファイルから必要とする特定の通信パケットだけをスクリーニングして新しく個別統計ファイルファイルを作成し、それをあたかも新規に収集した全統計ファイルのごとく詳細に分析するようにしたので以下のような効果がある。
【００６２】
第１の効果は、特に大規模なＷＡＮ回線を含むシステムにおいて、現地での作業工数や測定機費用の大幅な削減が可能になる。第２の効果は、抽出条件の与え方により、特定のＷＡＮ回線やサブネットワーク等任意の単位での分析が可能になる。第３の効果は、ＷＡＮインターフェースの種類に制限を受けることがなく、また、現状のＷＡＮ回線を一旦切断してそこにＷＡＮモニタを挿入する必要がなく、測定がしやすいという特長がある。第４の効果は、ＳＮＭＰのＭＩＢ情報からデータを収集する方法と比べて、現状のネットワークに負荷を与えるなどネットワークの運転に一切悪影響を与えるずに、厳密なデータが収集できる。
【図面の簡単な説明】
【図１】本発明の第１の実施の形態のシステムのブロック図である。
【図２】本発明の第１の実施の形態のトラフィック測定装置１０のブロック図である。
【図３】本発明の第１又は第２の実施の形態の分析結果を出力したグラフの一例である使用率推移グラフの例である。
【図４】本発明の第１又は第２の実施の形態の全統計ファイル１５又は５５のフォーマットを示した図である。
【図５】本発明の第１の実施の形態の動作を示したフローチャートである。
【図６】本発明の第２の実施の形態のシステムのブロック図である。
【図７】本発明の第２の実施の形態のトラフィック測定装置５０又はトラフィック測定装置５１のブロック図である。
【図８】本発明の第２の実施の形態の動作を示したフローチャートである。
【図９】第１の従来の方法を示したシステムのブロック図である。
【図１０】第２の従来の方法を示したシステムのブロック図である。
【符号の説明】
１０    トラフィック測定装置
１１    トラフィック収集部
１２    統計ファイル
１３    スクリーニング部
１４    分析部
１５    全統計ファイル
１６    個別統計ファイル
１９    記録媒体
２１    支店
２２    支店
２３    支店
２４    支店
２５    ルータ
２６    ルータ
２７    ルータ
２８    ルータ
３１    センター
３２    ルータ
３３    サーバ
３４    サーバ
５０    トラフィック測定装置
５１    トラフィック測定装置
５２    自統計ファイル
５３    他統計ファイル
５４    マージ部
５５    全統計ファイル
５６    個別統計ファイル
６１    センター
６２    ルータ
８１    ＷＡＮモニタ
８２    ＷＡＮモニタ
８３    ＷＡＮモニタ
８４    ＷＡＮモニタ
９１    ＭＩＢ情報
９２    ＭＩＢ情報
９３    ＭＩＢ情報
９４    ＭＩＢ情報
９５    センター
９６    ルータ
【図１】
0003584856.tif 000002
【図２】
0003584856.tif 000003
【図３】
0003584856.tif 000004
【図４】
0003584856.tif 000005
【図５】
0003584856.tif 000006
【図６】
0003584856.tif 000007
【図７】
0003584856.tif 000008
【図８】
0003584856.tif 000009
【図９】
0003584856.tif 000010
【図１０】
0003584856.tif 000011